(57)【要約】【課題】  画像読み取り装置の読み取り領域に写真フィルムを正確に位置決めできるフィルムホルダ及びそれを用いた画像読み取り装置を提供する。【解決手段】  フィルム原稿を画像読み取り装置の読み取り領域に位置決めするためのフィルムホルダであって、前記フィルム原稿の第一面が凸に湾曲するように前記フィルム原稿の両端部を保持する保持部と、前記フィルム原稿の凸に湾曲した前記第一面を押さえて位置決めするプラテンを有する透明部と、を備えることを特徴とするフィルムホルダ。【選択図】    図１
2006064714.tif 000002
【特許請求の範囲】
【請求項１】
フィルム原稿を画像読み取り装置の読み取り領域に位置決めするためのフィルムホルダであって、
前記フィルム原稿の第一面が凸に湾曲するように前記フィルム原稿の両端部を保持する保持部と、
前記フィルム原稿の凸に湾曲した前記第一面を押さえて位置決めするプラテンを有する透明部と、
を備えることを特徴とするフィルムホルダ。
【請求項２】
前記保持部は、
前記第一面の第一端部を前記プラテンから離れた位置で支える第一支持部と、
前記第一面の裏面である前記フィルム原稿の第二面の前記第一端部より内側を前記第一支持部より前記プラテンに近い位置で押さえる第一押さえ部と、
前記第一面の前記第一端部と対向する第二端部を前記プラテンから離れた位置で支える第二支持部と、
前記フィルム原稿の前記第二面の前記第二端部より内側を前記第二支持部より前記プラテンに近い位置で押さえる第二押さえ部と、
を有することを特徴とする請求項１に記載のフィルムホルダ。
【請求項３】
前記プラテンに対して傾斜し、一部が前記第一支持部を形成している第一支持斜面と、
前記第一支持斜面と平行で、一部が前記第一押さえ部を形成している第一押さえ斜面と、
をさらに備えることを特徴とする請求項２に記載のフィルムホルダ。
【請求項４】
前記第一支持斜面は、前記プラテンに対して１０度以上２０度以下傾斜している平坦面であることを特徴とする請求項３に記載のフィルムホルダ。
【請求項５】
前記プラテンに対して傾斜し、一部が前記第二支持部を形成している第二支持斜面と、
前記第二支持斜面と平行で、一部が前記第二押さえ部を形成している第二押さえ斜面と、
をさらに備えることを特徴とする請求項２に記載のフィルムホルダ。
【請求項６】
前記第二支持斜面は、前記プラテンに対して１０度以上２０度以下傾斜している平坦面であることを特徴とする請求項５に記載のフィルムホルダ。
【請求項７】
前記第一押さえ部と前記第二押さえ部の少なくともいずれか一方は前記プラテンから前記フィルム原稿の厚さより遠く離れた位置で前記第二面を押さえることを特徴とする請求項２〜６のいずれか一項に記載のフィルムホルダ。
【請求項８】
前記第一支持部、前記第二支持部及び前記透明部が設けられたベースと、
前記第一押さえ部及び前記第二押さえ部が設けられ、前記ベースに係止されるカバーと、
をさらに備えることを特徴とする請求項２〜７のいずれか一項に記載のフィルムホルダ。
【請求項９】
前記ベースは、前記カバーの縁部がはまり前記カバーの縁部を押圧する凹部を有することを特徴とする請求項８に記載のフィルムホルダ。
【請求項１０】
前記透明部は帯電防止機能を有することを特徴とする請求項１〜９のいずれか一項に記載のフィルムホルダ。
【請求項１１】
前記プラテンは拡散面であることを特徴とする請求項１〜１０のいずれか一項に記載のフィルムホルダ。
【請求項１２】
請求項１〜１１のいずれか一項に記載のフィルムホルダを位置決めする位置決め部と、
前記位置決め部に位置決めされた前記フィルムホルダの前記プラテンに位置決めされた前記フィルム原稿を読み取るイメージセンサと、
を備えることを特徴とする画像読み取り装置。
【請求項１３】
前記位置決め部は請求項１１に記載のフィルムホルダを位置決めし、
前記イメージセンサは前記第一面の裏面側から前記フィルム原稿を読み取ることを特徴とする画像読み取り装置。
【発明の詳細な説明】
【技術分野】
【０００１】
本発明はフィルムホルダ及び画像読み取り装置に関する。
【背景技術】
【０００２】
写真フィルム等の透過原稿を読み取る画像読み取り装置が知られている。一般に写真フィルム等のフィルム原稿は、フィルムホルダに保持された状態で画像読み取り装置に読み取られる。フィルムホルダは画像読み取り装置が備えるイメージセンサの受光面にフィルム原稿に対する焦点が一致する位置にフィルム原稿を位置決めする。
従来のフィルムホルダとして、枠状に形成された板でフィルム原稿の端部を挟んで保持する形態のものと、２枚の透明板でフィルム原稿を挟んで保持する形態のものが知られている。
【０００３】
しかし、枠状に形成された板でフィルム原稿の端部を挟むフィルムホルダは、フィルム原稿の湾曲を矯正しきれずにフィルムホルダに保持されていない中央部が湾曲した状態でフィルム原稿を保持する場合がある。また、湿度変化や画像読み取り装置が発生する熱によって読み取り途中でフィルム原稿の湾曲状態が変化することもある。湾曲した状態でフィルムホルダに保持されたフィルム原稿は、イメージセンサの受光面に焦点が一致する位置から外れた位置に保持されることになる。このため、従来のフィルム原稿の端部を挟むフィルムホルダによると、フィルム原稿を読み取った画像がぼやけることがある。
【０００４】
また、フィルム原稿を２枚の透明板で挟むフィルムホルダによると、透明板とフィルム原稿の間に微小隙間が形成されるためにニュートンリングが発生することがある。透明板の表面を拡散面にすることによりニュートンリングを防止することができるものの、フィルム原稿とイメージセンサとの間の光路上に位置する拡散面は、イメージセンサの受光面に結像される透過光像をぼやかすという問題がある。これを防止するためにフィルム原稿のイメージセンサ側の表面と透明板が密着しないように、薄い枠状のシートを透明板とフィルム原稿の間に挟んで使用するフィルムホルダも知られている。しかし、この対策では、シートの厚さでしかフィルム原稿と透明板との隙間を確保できないためニュートンリング防止効果が不十分でニュートンリングの発生を完全には防止することができない。
【発明の開示】
【発明が解決しようとする課題】
【０００５】
本発明は、上述の問題を解決するために創作されたものであって、画像読み取り装置の読み取り領域に写真フィルムを正確に位置決めできるフィルムホルダ及びそれを用いた画像読み取り装置を提供することを目的とする。
【課題を解決するための手段】
【０００６】
（１）上記目的を達成するための本発明のフィルムホルダは、フィルム原稿を画像読み取り装置の読み取り領域に位置決めするためのフィルムホルダであって、前記フィルム原稿の第一面が凸に湾曲するように前記フィルム原稿の両端部を保持する保持部と、前記フィルム原稿の凸に湾曲した前記第一面を押さえて位置決めするプラテンを有する透明部と、を備える。
本発明によると、透明部のプラテンがフィルム原稿の凸に湾曲した第一面を押さえるため、フィルム原稿の第一面をプラテンに密着させることができる。したがって、本発明によると、フィルム原稿を２枚の透明板で挟むことなく、画像読み取り装置の読み取り領域にフィルム原稿を正確に位置決めすることができる。
【０００７】
（２）前記保持部は、前記第一面の第一端部を前記支持面から離れた位置で支える第一支持部と、前記第一面の裏面である前記フィルム原稿の第二面の前記第一端部より内側を前記第一支持部より前記プラテンに近い位置で押さえる第一押さえ部と、前記第一面の前記第一端部と対向する第二端部を前記プラテンから離れた位置で支える第二支持部と、前記フィルム原稿の前記第二面の前記第二端部より内側を前記第二支持部より前記プラテンに近い位置で押さえる第二押さえ部と、を有してもよい。
本発明によると、第一面の両端部を第一支持部及び第二支持部で支えられたフィルム原稿の第二面の第一支持部と第二支持部の間を、第一押さえ部及び第二押さえ部が押さえるため、フィルム原稿を湾曲させることができる。
【０００８】
（３）前記フィルムホルダは、前記プラテンに対して傾斜し、一部が前記第一支持部を形成している第一支持斜面と、前記第一支持斜面と平行で、一部が前記第一押さえ部を形成している第一押さえ斜面と、をさらに備えてもよい。
本発明によると、互いに平行な第一支持斜面と第一押さえ斜面とでフィルム原稿を保持するため、フィルム原稿が保持部に保持されることによって折れ曲がることを防止できる。
（４）前記第一支持斜面は、前記プラテンに対して１０度以上２０度以下傾斜している平坦面であることが望ましく、特に約１５度傾斜していることが望ましい。
【０００９】
（５）前記フィルムホルダは、前記プラテンに対して傾斜し、一部が前記第二支持部を形成している第二支持斜面と、前記第二支持斜面と平行で、一部が前記第二押さえ部を形成している第二押さえ斜面と、をさらに備えてもよい。
本発明によると、互いに平行な第二支持斜面と第二押さえ斜面とでフィルム原稿を保持するため、フィルム原稿が保持部に保持されることによって折れ曲がることを防止できる。
（６）前記第二支持斜面は、前記プラテンに対して１０度以上２０度以下傾斜している平坦面であることが望ましく、特に約１５度傾斜していることが望ましい。
【００１０】
（７）前記第一押さえ部と前記第二押さえ部の少なくともいずれか一方は前記プラテンから前記フィルム原稿の厚さより遠く離れた位置で前記第二面を押さえてもよい。
第一押さえ部と第二押さえ部との間でフィルム原稿が撓んだ状態でフィルム原稿が第一押さえ部とプラテンで狭持され、かつ第二押さえ部とプラテンでも狭持される場合、第一押さえ部と第二押さえ部との間でフィルム原稿の第二面が凸に湾曲することを防止できず、その結果フィルム原稿の第一面がプラテンから浮き上がることを防止できない。これに対し、本発明によると、第一押さえ部と第二押さえ部との間でフィルム原稿が撓んでいたとしても、必ず第一面が凸に湾曲するためフィルム原稿とプラテンを確実に密着させることができる。
【００１１】
（８）前記フィルムホルダは、前記第一支持部、前記第二支持部及び前記透明部が設けられたベースと、前記第一押さえ部及び前記第二押さえ部が設けられ、前記ベースに係止されるカバーと、をさらに備えてもよい。
本発明によると、ベースに設けられた第一支持部及び第二支持部にフィルム原稿を載置しようとする際に、フィルム原稿が第一支持部または第二支持部から脱落したとしても、第一支持部及び第二支持部が設けられているベースに透明部が設けられているためベースからフィルム原稿が脱落することを防止できる。
（９）前記ベースは、前記カバーの縁部がはまり押圧する凹部を有してもよい。
本発明によると、ベースの凹部にカバーの縁部がはまり、カバーの縁部がベースの凹部を押圧するため、がたつきなくベースにカバーを係止することができる。
【００１２】
（１０）前記透明部は帯電防止機能を有してもよい。
本発明によると、透明部が帯電防止機能を有するため、塵埃が静電気により透明部に付着することを防止できる。
（１１）前記プラテンは拡散面でもよい。
本発明によると、プラテンとフィルム原稿との間に微小な隙間が形成された場合にニュートンリングが発生することを防止できる。
【００１３】
（１２）上記目的を達成するための本発明の画像読み取り装置は、前記フィルムホルダを位置決めする位置決め部と、前記位置決め部に位置決めされた前記フィルムホルダの前記プラテンに位置決めされた前記フィルム原稿を読み取るイメージセンサと、を備える。
本発明によると、正確に位置決めされたフィルム原稿をイメージセンサで読み取ることができるため、フィルム原稿を鮮明に読み取ることができる。
【００１４】
（１３）前記位置決め部は前記プラテンが拡散面である前記フィルムホルダを位置決めし、前記イメージセンサは前記第一面の裏面側から前記フィルム原稿を読み取ってもよい。
本発明によると、イメージセンサに向かってフィルム原稿を透過した光がプラテンの拡散面で拡散することがない。このため本発明によると、プラテンの拡散面によってフィルム原稿を読み取った画像がぼやけることを防止できる。
【発明を実施するための最良の形態】
【００１５】
以下、複数の実施例に基づいて本発明の実施の形態を説明する。各実施例において同一の符号が付された構成要素は、その符号が付された他の実施例の構成要素と対応する。
（第一実施例）
図２は本発明による画像読み取り装置の第一実施例としてのスキャナ１を示す模式図である。
イメージセンサ１０は、直線上に配列された光電変換素子群を備え、ＣＣＤリニアイメージセンサ、ＣＭＯＳリニアイメージセンサ等で構成される。イメージセンサ１０は、可視光、赤外光等の所定の波長領域の光を各光電変換素子で光電変換し、走査線上の画像の濃淡に相関する電気信号を出力する。尚、イメージセンサ１０は、レンズ縮小型であってもよいし、密着型であってもよい。
【００１６】
ローラ１８、２２、３４、４０は、図示しないモータによって駆動され、フィルムホルダ３２を所定の直線に沿って往復移動させる。フィルムホルダ３２の移動方向を副走査方向という。副走査方向は走査線に垂直である。ローラ１８、２２、３４、４０は、請求項に記載の位置決め部に相当し、フィルムホルダ３２を所定の位置に位置決めしている。尚、本発明はセンサ移動型の画像読み取り装置にも適用することができる。例えばフラットベッド型イメージセンサであれば、プラテンガラスが請求項に記載の位置決め部に相当する。
【００１７】
レンズ１２、ミラー１４及び光源３８は、フィルムホルダ３２に保持された写真フィルム２８等のフィルム原稿の透過光像をイメージセンサ１０の受光面に結像させる光学系である。ローラ１８、２２、３４、４０に位置決めされたフィルムホルダ３２に保持された写真フィルム２８に対するレンズ１２の焦点にイメージセンサ１０の受光面が位置している。光源３８は、キセノンランプ等を用いた管照明装置から構成され、長手方向軸が主走査線に平行な姿勢である。尚、光源は面光源であってもよい。
【００１８】
フィルムホルダ３２は、写真フィルム２８等の透過フィルムからなる原稿を光学系の焦点がイメージセンサ１０の受光面に一致する位置に保持する。写真フィルム２８はフィルムホルダ３２の透明板４２によって位置決めされる。透明板４２は、請求項に記載の透明部に相当し、ガラス、プラスチック等で平板状に構成される。透明板４２は帯電防止機能を備えることが望ましい。帯電防止機能は静電気による塵埃の付着を防止する。帯電防止機能は、透明板４２の表面に帯電防止層を形成したり、帯電しにくい透明材料を選択することにより、実現することができる。透明板４２の写真フィルム２８に接する面３０は、請求項に記載のプラテンに相当する。以下、透明板４２の写真フィルム２８に接する面をプラテンという。
【００１９】
プラテン３０は拡散面であることが望ましい。プラテン３０を拡散面にすることにより、写真フィルム２８とプラテン３０との間に微小な隙間が形成されている場合にニュートンリングが発生することを防止できる。写真フィルム２８からイメージセンサ１０に到る光路上に透明板の拡散面が存在する場合、拡散面によって写真フィルム２８の透過光が拡散するため、イメージセンサ１０の受光面に結像される透過光像がぼやける。これに対し、光源３８から写真フィルム２８に到る光路上に拡散面が存在しても、写真フィルム２８に照射される白色光が拡散するだけである。したがって、プラテン３０が拡散面であってもイメージセンサ１０の受光面に結像される写真フィルム２８の透過光像がぼやけることはない。尚、写真フィルム２８は、プラテン３０にベース２６の表面３６が接するように載置してもよいし、プラテン３０に乳剤層２４の表面２０が接するように載置してもよい。撮影時の光の入射方向に着目すれば乳剤層２４の表面２０がイメージセンサ１０側にある状態、すなわちプラテン３０にベース２６の表面３６が接した状態で写真フィルム２８を読み取ることが望ましい。またニュートンリングの発生に着目すれば、乳剤層２４の表面２０がプラテン３０に接した状態で写真フィルム２８を読み取ることが望ましい。
プラテン３０にはハードコート処理を施すことが望ましい。ハードコート処理により、写真フィルム２８とプラテン３０とが擦れることによりプラテン３０に傷がつくことを防止できる。
【００２０】
図３はスキャナ１を示すブロック図である。
光源部５０は、光源３８及びその駆動回路で構成される。
搬送部５２は、ローラ１８、２２、３４、４０を回転させるモータ及びその駆動回路で構成される。
アナログフロントエンド（ＡＦＥ）５６は、ＣＤＳ（相関二重サンプリング）等によるノイズ除去、増幅、Ａ／Ｄ変換等の機能を有する。
【００２１】
画像処理部５８は、ガンマ補正、先鋭化処理、モアレの除去処理、シェーディング補正、欠陥画素の補間、ホワイトバランスの補正等の機能を有するＡＳＩＣである。尚、これらの機能を制御部５４で実行するソフトウェアで実現してもよい。また、これらの機能をパーソナルコンピュータ（ＰＣ）２等で構成される外部システムに備えてもよい。例えば、ＴＷＡＩＮドライバ等のソフトウェアでこれらの機能を実現してもよい。
外部インタフェースコントローラ６０は、ＰＣ２等の外部システムとスキャナ１とを通信可能に接続する。
【００２２】
図４は、本発明の第一実施例によるフィルムホルダ３２の構成を示す模式的な断面図である。
保持部６２は、写真フィルム２８が湾曲するように写真フィルム２８の両端部を保持する。保持部６２は、例えば３５ｍｍストリップフィルムの長辺近傍を保持し、フィルムの短辺が湾曲するようにフィルムを係止する構造である。具体的には例えば次のとおりである。
保持部６２は、矩形の開口部６４を有する枠状に形成される。開口部６４は写真フィルム２８の透過光をミラー１４に通過させる。
【００２３】
保持部６２は写真フィルム２８の両端部が係止される２つの溝６６、６８を有する。溝６６、６８は、それぞれ保持部６２の内側に向かって開口している。互いに対向する溝６６から溝６８までの距離は写真フィルム２８の幅より狭い。このため、溝６６、６８に写真フィルム２８の両端部が係止されると写真フィルム２８は湾曲する。尚、写真フィルム２８の端部を係止する構造はフックであってもよいし、写真フィルム２８の端部を狭持する構造であってもよい。
【００２４】
図４（Ａ）に示すように写真フィルム２８を保持部６２に係止し、透明板４２が固定されている図示しないベースに保持部６２を係止すると、写真フィルム２８の凸に湾曲した面３６が図４（Ｂ）に示すようにプラテン３０に押し当てられる。その結果、写真フィルム２８のプラテン３０に押し当てられた中央部はプラテン３０に密着する。この結果、写真フィルム２８の中央部は、光学系の焦点が正確にイメージセンサ１０の受光面に一致する位置に位置決めされる。
【００２５】
図２に示す光源３８が発光すると、光源３８から放射された光は透明板４２を透過して写真フィルム２８を照明する。光源３８に照明された写真フィルム２８の透過光は、保持部６２の開口部６４（図４参照）を通過し、ミラー１４及びレンズ１２を経てイメージセンサ１０の受光面に到達する。
【００２６】
以上説明した本発明の第一実施例によると、写真フィルム２８の中央部は、プラテン３０に密着するため、光学系の焦点が正確にイメージセンサ１０の受光面に一致する位置に位置決めされる。したがって、本発明の第一実施例によると、光源３８に照明された写真フィルム２８の透過光像がイメージセンサ１０の受光面に鮮明に結像される。したがって、本発明の第一実施例によると、スキャナ１は写真フィルム２８を鮮明に読み取ることができる。
【００２７】
（第二実施例）
図５、図６はそれぞれ本発明の第二実施例によるフィルムホルダ３２を示す平面図、斜視図である。フィルムホルダ３２は、ベース７６及びカバー７２を備えている。
ベース７６は、プラスチック等からなり、矩形の開口部（図１参照）１１２を有する枠状に形成されている。開口部１１２は透明部としての透明板４２に閉塞されている。透明板４２は、図６に示すように金属等からなる複数の支持板８２、１０４によって固定されている。支持板８２及び支持板１０４の構成は実質的に同一である。支持板８２と支持板１０４は透明板４２を間に挟んで対向する位置に配列されている。支持板８２の端部には請求項に記載の第一支持斜面に相当する斜面８４が形成されている。支持板１０４の端部には請求項に記載の第二支持斜面に相当する斜面１００が形成されている。ベース７６には複数のフック８０、１０２が形成されている。フック８０及びフック１０２の構成は実質的に同一である。フック８０に形成されている凹部８８及びフック１０２に形成されている凹部１０８は請求項に記載の凹部に相当する。ベース７６には複数の突部８３、１０７が形成されている。突部８３と突部１０７は透明板４２を間に挟んで対向する位置に配列されている。突部８３、１０７は、透明板４２に載置された写真フィルム２８の短辺方向の移動を規制する。
【００２８】
カバー７２は、プラスチック等で形成され、中央部に矩形の開口部７０を有する枠状に形成されている。カバー７２は、ヒンジ７８、９８によってベース７６に揺動自在に接続されている。カバー７２には、フック８０、１０２が挿入される複数の開口部７４、９２が形成されている。開口部７０を囲む縁部のベース７６側には、細長い斜面８６、９６が形成されている。請求項に記載の第一押さえ斜面に相当する斜面８６及び請求項に記載の第二押さえ斜面に相当する斜面９６の構成は実質的に同一である。斜面８６と斜面９６は互いに平行な方向に延びている。
【００２９】
図１は図５のＩ−Ｉ線断面図である。
支持板８２に形成された斜面８４は、請求項に記載の保持部を構成し、プラテン３０に対して約１５度傾斜した平坦面である。プラテン３０に対する斜面８４の傾斜角は１０度以上２０度以下であることが望ましい。斜面８４の幅は、少なくとも写真フィルム２８の感光領域に斜面８４が触れない幅であって、例えば２ｍｍ程度とする。
カバー７２の縁部に形成された斜面８６は、請求項に記載の保持部を構成し、フック８０、１０２によってカバー７２がベース７６に係止された状態において支持板８２の斜面８４と平行になる。またその状態においてプラテン３０から斜面８６までの最低高は、写真フィルム２８の厚さより高く、例えば０．５ｍｍ程度とする。
【００３０】
フィルムホルダ３２に写真フィルム２８をセットする手順は以下の通りである。はじめに図６に示すようにカバー７２を揺動させてベース７６の斜面８４、１００に写真フィルム２８を載置可能な状態にする。この状態で写真フィルム２８の両端部が突部８３と突部１０７の内側に収まるように写真フィルム２８をベース７６の斜面８４、１００に載置する。このとき写真フィルム２８をベース７６の斜面８４、１００に載置することに失敗したとしても、透明板４２がベース７６の開口部１１２（図１参照）を閉塞しているため、ベース７６から写真フィルム２８が脱落することはない。次にカバー７２を揺動させ、カバー７２の開口部７４、９２にフック８０、１０２を押し込み、カバー７２をベース７６に係止する。
【００３１】
カバー７２の縁部に形成された突部１１０が図１（Ｂ）に示すようにベース７６のフック８０に形成されている凹部８８にはまると、カバー７２はベース７６にスナップフィットによって結合される。突部１１０が凹部８８にはまった状態では、写真フィルム２８の第二面２０がカバー７２の斜面８６に押圧され、写真フィルム２８の第一面３６がベース７６の斜面８４に押圧されることによって、フィルムホルダ３２に写真フィルム２８が狭持される。写真フィルム２８が狭持されたフィルムホルダ３２は、透明板４２のイメージセンサ１０側に写真フィルム２８が位置する姿勢でローラ１８、２２、３４、４０等の位置決め部に位置決めされる。
【００３２】
カバー７２の斜面８６とベース７６の斜面８４に写真フィルム２８の長辺側の縁部の一方が狭持され、カバー７２の斜面９６とベース７６の斜面１００に写真フィルム２８の長辺側の縁部の他方が狭持されると、写真フィルム２８は透明板４２側に凸に湾曲し、凸に湾曲した第一面３６がプラテン３０に押さえられる。その結果、プラテン３０に写真フィルム２８の第一面３６が密着する。この状態、すなわちベース７６にカバー７２が係止された状態では、写真フィルム２８の長辺近傍の、カバー７２の斜面８６にもプラテン３０にも押圧されていないわずかな部位のみが湾曲している。カバー７２の斜面８６にもプラテン３０にも押圧されない部位が残るようにカバー７２の斜面８６を設計することにより、斜面８６と斜面９６の間で写真フィルム２８が弛んでいても、写真フィルム２８を必ず透明板４２側に凸に湾曲させることができる。
【００３３】
以上説明した本発明の第二実施例によると、フィルムホルダ３２に両端部を狭持された写真フィルム２８がプラテン３０に密着するため、写真フィルム２８を画像読み取り装置の読み取り領域に正確に位置決めすることができる。
尚、写真フィルム２８の両端部を挟む斜面は、曲面であってもよい。
【００３４】
（第三実施例）
図７は、本発明の第三実施例によるフィルムホルダ３２を示す断面図である。本発明の第三実施例によるフィルムホルダ３２の構成は、図５、図６、図１に示した構成と以下の点で異なっている。
ベース７６は写真フィルム２８の第一面３６に線で接触する第一支持部１１６及び図示しない第二支持部を有する。第一支持部１１６及び第二支持部の構成は実質的に同一である。第一支持部１１６は、プラテン３０から離れた位置に形成された角である。
【００３５】
カバー７２は写真フィルム２８の第二面２０に線で接触する第一押さえ部１１４及び図示しない第二押さえ部を有する。第一押さえ部１１４及び第二押さえ部の構成は実質的に同一である。第一押さえ部１１４は、カバー７２がベース７６に係止された状態においてプラテン３０から離れた位置に位置する角である。カバー７２がベース７６に係止された状態において、第一押さえ部１１４からプラテン３０までの最短距離は第一支持部１１６からプラテン３０までの最短距離よりも短い。カバー７２がベース７６に係止された状態において、第一押さえ部１１４は第一支持部１１６よりもフィルムホルダ３２の内側に位置する。したがって、第一押さえ部１１４が接する写真フィルム２８の部位は、第一支持部１１６が接する写真フィルム２８の部位よりも内側である。
【００３６】
カバー７２がベース７６にスナップフィットにより結合された状態では、ベース７６の第一支持部１１６及び第二支持部に写真フィルム２８の第一面３６の両端部が押圧され、第一支持部１１６及び第二支持部より内側で写真フィルム２８の第二面２０がカバー７２の第一押さえ部１１４及び第二押さえ部に押圧される。この結果、写真フィルム２８は、ベース７６の第一支持部１１６及び第二支持部と、カバー７２の第一押さえ部１１４及び第二押さえ部とによって保持される。すると、写真フィルム２８は透明板４２側に凸に湾曲し、凸に湾曲した第一面３６がプラテン３０に押さえられる。この状態、すなわち凸に湾曲した写真フィルム２８の第一面３６がプラテン３０に押さえられた状態では、写真フィルム２８の第一面３６はプラテン３０に密着する。
以上説明した本発明の第三実施例によると、フィルムホルダ３２に両端部を保持された写真フィルム２８がプラテン３０に密着するため、写真フィルム２８を画像読み取り装置の読み取り領域に正確に位置決めすることができる。
【００３７】
（第四実施例）
図８は、本発明の第四実施例によるフィルムホルダ３２を示す斜視図である。フィルムホルダ３２は、複数の写真フィルム２８を保持可能な構成であってもよい。また、ベース７６の斜面８４及び斜面１００に載置された写真フィルム２８を取り上げやすいように、指先が入る程度の大きさの切り欠き１２０、１２２をベース７６に形成してもよい。切り欠き１２０の縁及び切り欠き１２２の縁は、写真フィルム２８の短辺方向の移動を規制する突部８３と突部１０７の間まで入り込んでいる。
【図面の簡単な説明】
【００３８】
【図１】本発明の第二実施例によるフィルムホルダを示す断面図。
【図２】本発明の第一実施例によるスキャナを示す模式図。
【図３】本発明の第一実施例によるスキャナを示すブロック図。
【図４】本発明の第一実施例によるフィルムホルダを示す断面図。
【図５】本発明の第二実施例によるフィルムホルダを示す平面図。
【図６】本発明の第二実施例によるフィルムホルダを示す斜視図。
【図７】本発明の第三実施例によるフィルムホルダを示す断面図。
【図８】本発明の第四実施例によるフィルムホルダを示す斜視図。
【符号の説明】
【００３９】
１  スキャナ（画像読み取り装置）、１０  イメージセンサ、１８、２２、３４、４０  ローラ（位置決め部）、２８  写真フィルム、３０  プラテン、３２  フィルムホルダ、４２  透明板（透明部）、６２  保持部、７２  カバー、７６  ベース、８４  斜面（第一支持斜面）、８６  斜面（第一押さえ斜面）、８８、１０８  凹部、９６  斜面（第二押さえ斜面）、１００  斜面（第二支持斜面）、１１４  第一押さえ部、１１６  第一支持部、
【図１】
2006064714.tif 000003
【図２】
2006064714.tif 000004
【図３】
2006064714.tif 000005
【図４】
2006064714.tif 000006
【図５】
2006064714.tif 000007
【図６】
2006064714.tif 000008
【図７】
2006064714.tif 000009
【図８】
2006064714.tif 000010